(57)【特許請求の範囲】
【請求項１】
導体を絶縁被覆で被覆し、先端側の前記絶縁被覆を剥がして前記導体を露出させた導体先端部を備えた被覆電線における少なくとも前記導体先端部の圧着接続を許容する圧着部を備えた圧着端子であって、
前記圧着部を、
内部に少なくとも前記導体先端部の挿入を許容する内部空間を有する断面環状で構成するとともに、
断面環状の前記圧着部の先端において、該圧着部の対向する内面同士を密着させて封止する封止部分を構成し、
該封止部分を、断面凹状に形成した
圧着端子。
【請求項２】
前記封止部を、幅方向に溶接固定した
請求項１に記載の圧着端子。
【請求項３】
前記導体を、アルミ系材料で構成するとともに、
少なくとも前記圧着部を、銅系材料で構成した
請求項１または２に記載の圧着端子。
【請求項４】
請求項１乃至３のうちいずれかに記載の圧着端子における圧着部によって、前記被覆電線と前記圧着端子とを接続した
接続構造体。
【請求項５】
請求項４に記載の接続構造体を複数束ねて構成した
ワイヤーハーネス。
【請求項６】
請求項４に記載の接続構造体における圧着端子をコネクタハウジング内に配置した
コネクタ。
【発明の詳細な説明】
【技術分野】
【０００１】
この発明は、例えば、自動車用ワイヤーハーネスの接続を担うコネクタ等に装着される圧着端子や、圧着端子を用いた接続構造体、さらには、このような接続構造体を装着したコネクタに関する。
【背景技術】
【０００２】
圧着端子は、被覆電線の導体を電気的に接続する圧着部を有しており、被覆電線を圧着部に挿入したのち圧着部をかしめて導体に圧着して、被覆電線を接続するものである。  
このような圧着端子は、例えば自動車の電装品間を接続するワイヤーハーネスに用いられる。【０００３】
ワイヤーハーネスは自動車の安全性、快適性、利便性の向上による多機能化、高性能化によって大径化し、重量は増加する一方である。このため、ワイヤーハーネスの総重量の約６０％を占めるといわれる被覆電線を、銅製の銅導体から、アルミニウム又はアルミニウム合金製のアルミニウム導体に置き換えることが行われている。【０００４】
しかし、圧着端子は銅製であるので、銅導体からアルミニウム導体に置き換えを行うと圧着端子の圧着部は異種金属接触となる。つまり、水や水分と接触することで圧着部は容易に腐食してしまう。これを異種金属腐食（以下において電食という）という。【０００５】
このため、電食の防止を図って、導体のアルミニウム化が行えるようにするために、例えば下記特許文献１などに開示されているように、アルミニウム導体と圧着端子の接触界面を樹脂材料によって外部から遮断して止水する技術が開発されている。特許文献１に開示された防食構造は、圧着端子に被覆電線を接続した後に、圧着端子と被覆電線との接続部分に樹脂からなるモールド部を成形するというものである。  
しかしながら、この防食構造は、金属製の圧着端子と樹脂性の被覆電線との接続部分を樹脂材料でモールドするため、モールドした樹脂材料が使用中に劣化して止水性が低下するおそれがあった。
【先行技術文献】
【特許文献】
【０００６】
【特許文献１】特開２０１２−３８５６号公報
【発明の概要】
【発明が解決しようとする課題】
【０００７】
この発明は、被覆電線に対する圧着状態において、長期に亘って優れた止水性を維持することができる圧着端子、接続構造体及びコネクタを提供することを目的とする。
【課題を解決するための手段】
【０００８】
この発明は、導体を絶縁被覆で被覆し、先端側の前記絶縁被覆を剥がして前記導体を露出させた導体先端部を備えた被覆電線における少なくとも前記導体先端部の圧着接続を許容する圧着部を備えた圧着端子であって、前記圧着部を、内部に少なくとも前記導体先端部の挿入を許容する内部空間を有する断面環状で構成するとともに、断面環状の前記圧着部の先端において、該圧着部の対向する内面同士を密着させて封止する封止部分を構成し、該封止部分を、断面凹状に形成したことを特徴とする。【０００９】
上記幅方向は、圧着部に圧着接続される被覆電線の長さ方向と同方向の長手方向に対して、略直交する方向を示している。また、断面環状等の断面は、上記長手方向に対して、略直交する方向、すなわち幅方向の断面であることを示している。  
また、上記断面凹状は、正面視略Ｕ字状、略楕円状、略半円状、略Ｖ字状、略Ｗ字状、あるいは上向きコ字状とすることができる。【００１０】
この発明によれば、被覆電線に対する圧着状態において、長期に亘って優れた止水性を維持することができる。  
詳述すると、前記圧着部を、内部に少なくとも前記導体先端部の挿入を許容する内部空間を有する断面環状で構成するとともに、断面環状の前記圧着部の先端において、該圧着部の対向する内面同士を密着させて封止する封止部分を構成することにより、確実な止水性を有する断面環状の圧着部を形成することができる。【００１１】
しかしながら、圧着部の先端側において、圧着部の対向する内面同士が密着する程度に幅方向の偏平状に変形させて封止部を形成した場合、圧着端子における他の部分に比べて断面係数が小さくなり、止水性を確保するための封止部分の強度が低くなり、中折れするおそれがある。これに対し、幅方向の偏平状に変形させた封止部分を幅方向に広い断面凹状に形成することで、封止部分の断面係数が向上し、圧着端子の強度を確保することができる。【００１２】
この結果、圧着部の先端側から水分が浸入することを防止できるとともに、中折れ等に耐え得る強度を持った封止部を形成することができる。したがって、被覆電線に対する圧着状態において、長期に亘って優れた止水性を維持することができる。【００１３】
この発明の態様として、前記封止部を、幅方向に溶接固定することができる。  
この発明により、封止部における止水性を向上することができる。  
なお、封止部の溶接固定における溶接方法は問わないが、レーザ溶接であり、特にファイバーレーザ溶接で行うことにより、安定性、高信頼性を得ることができる。【００１４】
また、この発明の態様として、前記導体を、アルミ系材料で構成するとともに、少なくとも前記圧着部を、銅系材料で構成することができる。  
この発明によれば、銅線による導体を有する被覆電線に比べて軽量化できるとともに、いわゆる電食を防止することができる。【００１５】
詳しくは、被覆電線の導体に従来用いられていた銅系材料をアルミニウムあるいはアルミニウム合金などのアルミ系材料に置き換え、そのアルミ系材料製の導体を圧着端子に圧着した場合においては、端子材料の錫めっき、金めっき、銅合金等の貴な金属との接触により、卑な金属であるアルミ系材料が腐食される現象、すなわち電食が問題となる。【００１６】
なお、電食とは、貴な金属と卑な金属とが接触している部位に水分が付着すると、腐食電流が生じ、卑な金属が腐食、溶解、消失等する現象である。この現象により、圧着端子の圧着部に圧着されたアルミ系材料製の導体が腐食、溶解、消失し、やがては電気抵抗が上昇する。その結果、十分な導電機能を果たせなくなるという問題があった。【００１７】
しかしながら、上述した所望の圧着形状で圧着することで、銅系材料による導体を有する被覆電線に比べて軽量化を図りながら、いわゆる電食を防止することができる。  
この結果、圧着端子と、被覆電線の導体を構成する金属種によらず、安定した導電性を確保した接続状態を構成することができる。【００１８】
ここで、前記圧着部は、例えば、銅、銅合金等の銅系材料で構成することができる。また、導体は、例えば、アルミニウム製素線あるいはアルミニウム合金製素線等で構成することができる。【００１９】
また、この発明は、前記圧着端子における圧着部によって、前記被覆電線と前記圧着端子とを接続した接続構造体とすることができる。  
この発明によれば、安定した導電性を確保することができる接続構造体を構成することができる。
また、この発明は、上述の接続構造体を複数束ねて構成したワイヤーハーネスであることを特徴とする。  
この発明により、圧着端子と電線導体を構成する金属種によらず、安定した導電性を確保したワイヤーハーネスを構成することができる。【００２０】
また、この発明は、上記接続構造体における圧着端子をコネクタハウジング内に配置したコネクタとすることができる。  
この発明によれば、確実な導電性を備えた接続状態を確保することができる。
【発明の効果】
【００２１】
この発明によれば、被覆電線に対する圧着状態において、長期に亘って優れた止水性を維持することができる圧着端子、接続構造体及びコネクタを提供することができる。
【図面の簡単な説明】
【００２２】
【図１】雌型圧着端子における圧着部を被覆電線に圧着する方法の説明図。
【図２】圧着部の先端側に凹状封止部を形成する方法の説明図。
【図３】圧着後の幅方向中央部で分断した雌型圧着端子の縦断側面図。
【図４】コネクタについての説明斜視図。
【図５】別形態の凹状封止部について説明する説明図。
【図６】圧着部における別の溶接方法について説明する説明図。
【発明を実施するための形態】
【００２３】
この発明の一実施形態を以下図面に基づいて詳述する。  
図１は雌型圧着端子１０における圧着部３０を被覆電線２００に圧着する方法の説明図を示し、詳述すると、図１（ａ）は圧着前の幅方向中央で分断した雌型圧着端子１０の縦断斜視図を示し、図１（ｂ）は圧着前の雌型圧着端子１０と被覆電線２００とを示す斜視図を示し、図１（ｃ）は圧着接続構造体１の斜視図を示している。
【００２４】
図２は圧着部３０の先端側に凹状封止部３４を形成する方法の説明図を示し、詳述すると、図２（ａ）は圧着部３０の先端側を断面偏平状に圧着して偏平状封止部３４’を形成した雌型圧着端子１０の斜視図を示し、図２（ｂ）は偏平状封止部３４’のａ部拡大図を示し、図２（ｃ）は凹状封止部３４の拡大図を示している。また、図３は圧着後の幅方向中央部で分断した雌型圧着端子１０の縦断側面図を示している。
【００２５】
本実施形態の圧着接続構造体１は、被覆電線２００を雌型圧着端子１０に接続して構成している。つまり、被覆電線２００における絶縁被覆２０２の被覆先端２０２ａより露出するアルミニウム芯線２０１の導体先端部２０１ａを、雌型圧着端子１０の圧着部３０に圧着接続して圧着接続構造体１を構成している。
【００２６】
雌型圧着端子１０に圧着接続する被覆電線２００は、アルミニウム素線を束ねてなるアルミニウム芯線２０１を、絶縁樹脂で構成する絶縁被覆２０２で被覆して構成している。詳しくは、アルミニウム芯線２０１は、断面が０．７５ｍｍ２となるように、アルミニウム合金線を撚って構成している。
【００２７】
雌型圧着端子１０は、該雌型圧着端子１０の長手方向Ｘの先端側である前方から後方に向かって、図示省略する雄型コネクタにおける挿入タブの挿入を許容するボックス部２０と、ボックス部２０の後方で、所定の長さのトランジション部２０ａを介して配置された圧着部３０とを一体に構成している。  
なお、長手方向Ｘとは、圧着部３０を圧着して接続する被覆電線２００の長手方向と一致する方向である。
【００２８】
上述の雌型圧着端子１０は、表面が錫メッキ（Ｓｎメッキ）された黄銅等の銅合金条（図示せず）で構成され、長手方向Ｘの前方側から見て中空四角柱体のボックス部２０と、後方側から見て断面環状の圧着部３０とからなるクローズバレル型の端子である。  
なお、ボックス部２０に挿入する挿入タブを備えた雄型圧着端子（図示せず）の圧着部３０も同様の構造で構成している（図１、図３参照）。
【００２９】
ボックス部２０は、中空四角柱体の前方側内部に、長手方向Ｘの後方に向かって折り曲げられ、挿入される雄型コネクタの挿入タブ（図示省略）に接触する弾性接触片２１を備えている。
【００３０】
また、ボックス部２０は、底面部２２の長手方向Ｘと直交する幅方向Ｙの両側部に連設した側面部２３ａ，２３ｂを折り曲げて、長手方向Ｘの前方側から見て略矩形状に構成している。
【００３１】
圧着前の圧着部３０は、圧着底面３１の長手方向Ｘと直交する幅方向Ｙの両端に連設され、長手方向Ｘの後方側から見て略環状のバレル片３２で構成している（図１（ａ）（ｂ）参照）。また、圧着部３０は、アルミニウム芯線２０１の導体先端部２０１ａの挿入を許容する内部空間を有している。
【００３２】
なお、圧着部３０の長手方向長さＸｂ（図１参照）は、絶縁被覆２０２の長手方向Ｘ前方側の先端である被覆先端２０２ａから、長手方向Ｘの前方で露出する導体先端部２０１ａの長手方向Ｘの露出長さＸｗより長く形成している。
【００３３】
また、圧着部３０は、アルミニウム芯線２０１の導体先端部２０１ａを圧着する電線圧着部３０ａと、絶縁被覆２０２を圧着する被覆圧着部３０ｂとを一体で構成しており、圧着部３０の内周は、絶縁被覆２０２の外径に応じた周長及び形状に形成している。
【００３４】
さらに、電線圧着部３０ａの内面には、アルミニウム芯線２０１を圧着した状態において、アルミニウム芯線２０１が食い込む、幅方向Ｙの溝であるセレーション３３が、長手方向Ｘに所定間隔を隔てて３本形成している。  
なお、セレーション３３は、圧着底面３１からバレル片３２に至るまで幅方向Ｙに連続する溝形状で形成している。
【００３５】
また、圧着部３０の先端部分には、圧着部３０の内面同士を密着させるとともに、長手方向Ｘの前方側から見て幅方向Ｙに広い断面略Ｕ字状の凹状封止部３４を形成している。
【００３６】
凹状封止部３４は、以下の方法で形成する。  
まず、導体先端部２０１ａの先端２０１ａａよりも前方に突出する圧着部３０の先端側を幅方向Ｙに広い断面偏平状に変形させ、長手方向Ｘの前方側から見て断面偏平状に変形した偏平状封止部３４’を形成する。
【００３７】
詳しくは、導体先端部２０１ａの先端２０１ａａよりも前方側において、圧着部３０の対向する圧着底面３１とバレル片３２との内面同士を密着した状態に変形させて、圧着部３０の先端側に、偏平状封止部３４’を形成する（図２（ａ）（ｂ）参照）。  
偏平状封止部３４’を形成した後、幅方向にレーザ溶接し、止水性を向上するが、より好ましくは、安定性、高信頼性を得られるファイバーレーザで行うとよい。
【００３８】
さらに、偏平状封止部３４’をレーザ溶接した後、偏平状封止部３４’を、クリンパ治具等の型部材（図示せず）を用いて加圧して断面略Ｕ字状に変形させ、長手方向Ｘの前方側から見て幅方向Ｙに広い断面略Ｕ字状の凹状封止部３４を形成する。なお、凹状封止部３４の内側中央部には凹部３４ａが形成される（図２（ｃ）、図３参照）。
【００３９】
このように、圧着部３０の先端側を断面偏平状に変形させて形成した偏平状封止部３４’で封止した後、偏平状封止部３４’を断面略Ｕ字状に変形させた凹状封止部３４を形成することにより、圧着部３０の先端側の止水性を確保することができる。
【００４０】
また、圧着部３０の先端側に断面略Ｕ字状に変形した凹状封止部３４を形成するため、単に、幅方向Ｙの断面偏平状に圧着して形成した封止部に比べ、断面係数が向上し、雌型圧着端子１０の強度を確保することができる。  
この結果、圧着部３０の先端側から水分が浸入することを防止できるとともに、中折れ等に耐え得る強度を持った凹状封止部３４を形成することができる。
【００４１】
次に、被覆電線２００を雌型圧着端子１０に接続して構成する圧着接続構造体１について説明すると、圧着接続構造体１は、上述した雌型圧着端子１０の圧着部３０に被覆電線２００のアルミニウム芯線２０１を圧着して構成している（図１〜図３参照）。
【００４２】
詳しくは、被覆電線２００の絶縁被覆２０２より先端側に露出するアルミニウム芯線２０１の導体先端部２０１ａを、導体先端部２０１ａの先端２０１ａａの長手方向Ｘの位置が圧着部３０における先端側（バレル片３２の前方側先端部）より後方となるように、被覆電線２００を圧着部３０に配置する。
【００４３】
そして、導体先端部２０１ａの先端２０１ａａから、絶縁被覆２０２の被覆先端２０２ａより後方側までを、図１（ｃ）に示すように、圧着部３０で圧着して一体的に囲繞している。
【００４４】
上述のように被覆電線２００を圧着部３０に配置した後、例えば、クリンパ治具等の型部材（図示せず）を用いて、圧着部３０の全体を加圧して縮径方向に変形させるとともに、被覆電線２００の絶縁被覆２０２及びアルミニウム芯線２０１の導体先端部２０１ａが覆われるように変形させて、圧着部３０とアルミニウム芯線２０１とを圧着接続する。
【００４５】
このように構成した圧着接続構造体１は、圧着部３０における先端側を凹状封止部３４で、被覆電線２００のアルミニウム芯線２０１が外部に露出されないように完全封止しているため、圧着後において、圧着部３０の内部に、圧着部３０の先端側から水分が浸入することを防止できる。よって、銅や銅合金等の貴な金属である銅あるいは銅合金製の雌型圧着端子１０と、卑な金属であるアルミニウムあるいはアルミニウム合金製のアルミニウム芯線２０１との接触部分に水分が付着することで生じる電食の発生を防止することができる。
【００４６】
したがって、アルミニウム芯線２０１の表面が腐食し、雌型圧着端子１０とアルミニウム芯線２０１との導電性が低下することを防止でき、止水状態を長期に亘って維持することができるので、高い信頼性を得ることができる。
【００４７】
つまり、上述した所望の圧着形状で圧着することで、銅系材料による導体を有する被覆電線に比べて軽量化を図りながら、いわゆる電食を防止することができる。  
この結果、圧着端子１０と、被覆電線２００の導体を構成する金属種によらず、安定した導電性を確保した接続状態の圧着接続構造体１を構成することができる。
【００４８】
次に、上述の雌型圧着端子１０を用いた圧着接続構造体１ａと、雄型圧着端子（図示せず）を用いた圧着接続構造体１ｂとを、一対のコネクタハウジング３００にそれぞれ装着した例を、図４を用いて説明する。  
なお、圧着接続構造体１ａは、雌型圧着端子１０を用いた接続構造体であり、圧着接続構造体１ｂは、雄型圧着端を用いた接続構造体である。
【００４９】
上述の圧着接続構造体１（１ａ，１ｂ）を、コネクタハウジング３００のそれぞれに装着することによって、確実な導電性を備えた雌型コネクタ３ａと雄型コネクタ３ｂとを構成することができる。
【００５０】
なお、以下の説明では、雌型コネクタ３ａと雄型コネクタ３ｂとの両方がワイヤーハーネス３０１（３０１ａ，３０１ｂ）のコネクタである例を示すが、一方をワイヤーハーネスのコネクタ、他方を基板や部品等の補機のコネクタとしてもよい。
【００５１】
詳しくは、図４に示すように、雌型圧着端子１０で構成した圧着接続構造体１ａを、雌型のコネクタハウジング３００に装着して、雌型コネクタ３ａを備えたワイヤーハーネス３０１ａを構成する。  
また、雄型圧着端子で構成した圧着接続構造体１ｂを、雄型のコネクタハウジング３００に装着して、雄型コネクタ３ｂを備えたワイヤーハーネス３０１ｂを構成する。
【００５２】
上述のように構成した雌型コネクタ３ａと雄型コネクタ３ｂとを嵌合することによって、ワイヤーハーネス３０１ａとワイヤーハーネス３０１ｂとを接続することができる。  
コネクタハウジング３００には、圧着接続構造体１を装着しているため、確実な導電性を備えたワイヤーハーネス３０１の接続を実現することができる。
【００５３】
つまり、上述の圧着接続構造体１ａの雌型圧着端子１０と、圧着接続構造体１ｂの雄型圧着端子は、被覆電線２００におけるアルミニウム芯線２０１の導体先端部２０１ａが圧着部３０によって一体的に覆われており、外部に露出しない封止構造を備えている。
【００５４】
このため、コネクタハウジング３００の内部において外気に曝されても、電食による導電性の低下がおこることなく、圧着部３０の内部におけるアルミニウム芯線２０１と圧着端子１０との電気的接続状態を維持することができ、確実な導電性を備えた接続状態を確保することができる。
【００５５】
この発明の構成と、前記実施形態との対応において、
この発明の導体は、実施形態のアルミニウム芯線２０１に対応し、
以下同様に、
接続構造体は、圧着接続構造体１，１ａに対応し、
圧着端子は、雌型圧着端子１０に対応し、
封止部分は、偏平状封止部３４’と、凹状封止部３４に対応し、
コネクタは、雌型コネクタ３ａと、雄型コネクタ３ｂに対応するも、
この発明は、上述の実施形態の構成のみに限定されるものではなく、請求項に示される技術思想に基づいて応用することができ、多くの実施の形態を得ることができる。
【００５６】
例えば、上述の説明では、圧着端子の圧着部を、アルミニウムやアルミニウム合金等の卑な金属からなる電線導体に圧着接続する例を説明したが、その卑な金属以外に、例えば、銅や銅合金等の貴な金属からなる電線導体に圧着接続してもよく、前記実施形態と略同等の作用及び効果を奏することができる。  
詳しくは、上述の構成の圧着部３０は、圧着状態において、水の浸入を防止できるため、例えば、これまで線間止水のために圧着後にシールなどが必要であった銅や銅合金等の芯線で構成する被覆電線を接続してもよい。
【００５７】
また、凹状封止部３４の断面形状を、上述した断面略Ｕ字状や断面略楕円状の他に、例えば、別形態の凹状封止部３５について説明する説明図である図５で示すように、略半円状、略Ｖ字状、略Ｗ字状、あるいは上向きコ字状等の様々な形状としたり、上下逆向きに反転した断面形状に形成してもよい。
【００５８】
具体的には、封止部を、図５（ａ）に示すように、幅方向Ｙの両側付近を上下方向に強圧着した強圧着部３５ａａを有する凹状封止部３５ａとして形成してもよい。また、図５（ｂ）に示すように、幅方向Ｙの両側に寝位状態略Ｔ型となるように上下方向に突出させた突出部３５ｂａを有する凹状封止部３５ｂとして形成してもよく、図５（ｃ）に示すように、幅方向Ｙの両側を、寝位状態略Ｙ型となるように上下斜め方向に突出させた突出部３５ｃａを有する凹状封止部３５ｃとして形成したもよい。さらに、図５（ｄ）に示すように、幅方向Ｙの両側を、寝位状態略Ｌ型となるように上方向にのみ突出させた突出部３５ｄａを有する凹状封止部３５ｄとして形成してもよい。
【００５９】
また、封止部を、図５（ｅ）に示すように、幅方向Ｙの両側付近を上下方向に平行に偏心させる屈曲部３５ｅａを有する凹状封止部３５ｅとして形成してもよく、図５（ｆ）に示すように、略Ｗ字状の凹状封止部３５ｅとして形成してもよい。
【００６０】
さらには、図５（ｆ）に示すように、圧着底面３１に対して左右のバレル片３２が折り重なるようにして、さらに、上述のようなさまざまな形状に形成した凹状封止部３５ｆとして形成してもよい。  
なお、図５（ｇ）に示すように、上述の凹状封止部３４を上下さかさまにして。上に凸な逆Ｕ字状の凹状封止部３４を形成してもよく、同様に、封止部３５（３５ａ〜３５ｆ）も上下逆向きで形成してもよい。
【００６１】
このように、逆向きの凹状封止部３４であっても、上下いずれ向きであっても、上述の封止部３５（３５ａ〜３５ｆ）は、上述の凹状封止部３４によって達成される効果と同様の効果を奏することができる。  
また、雌型圧着端子１０において、ボックス部２０がなく、凹状封止部３４を形成した圧着部３０のみで構成してもよい。
【００６２】
なお、上述の説明では、偏平状封止部３４’を幅方向にレーザ溶接してから、Ｕ字状に変形させて凹状封止部３４を形成したが、Ｕ字状に変形させて凹状封止部３４を形成してからレーザ溶接してもよい。
【００６３】
さらには、圧着部３０の先端側を幅方向Ｙに広い断面偏平状に変形させ、長手方向Ｘの前方側から見て断面偏平状に変形させて偏平状封止部３４’を形成してから断面略Ｕ字状に変形させて凹状封止部３４を形成したが、圧着底面３１とバレル片３２との内面同士を密着させるとともに、断面略Ｕ字状に変形させて凹状封止部３４を形成してもよい。
【００６４】
また、ボックス部２０の後方に配置したトランジション部２０ａの後ろ側の一部あるいは全部を、凹状封止部３４と連続させ、断面略Ｕ字状に形成してもよい。さらには、トランジション部２０ａのみ、断面略Ｕ字状に形成してもよい。
【００６５】
なお、端子形状に打ち抜いた銅合金条を丸めるとともに、端部同士を突き合わせて長手方向Ｘの溶接個所に沿って溶接して後方視略Ｏ型に形成してから、長手方向Ｘの前端部分をつぶすとともに、幅方向Ｙの溶接個所に沿って溶接して封止して、長手方向Ｘの前端が封止部で封止させ、長手方向Ｘの後方に開口を有する略筒状の圧着部３０を形成したが、圧着部３０における別の溶接方法について説明する説明図である図６に示すように、圧着部３０の形状を形成してから、溶接個所を溶接して圧着部３０を形成してもよい。
【００６６】
詳述すると、図６（ａ）に示すように、端子形状に打ち抜いた銅合金条を丸めるとともに、長手方向Ｘの前端部分をつぶして、封止部を含む圧着部３０の形状にあらかじめ形成する。
【００６７】
そして、丸めて突き合わさる端部同士を長手方向Ｘの溶接個所Ｗ３に沿って溶接するとともに、封止部において幅方向Ｙの溶接個所Ｗ４に沿って溶接して封止して圧着部３０を完成させる。
【００６８】
また、圧着部３０の底面側で端部同士を突き合わして溶接してもよいし、図６（ａ），（ｂ）に示すように、圧着部３０上面側で端部同士を突き合わして溶接してもよい。
【００６９】
さらには、図６（ｃ）に示すように、圧着状態において、圧着部３０の被覆圧着部３０ｂを、被覆電線２００の絶縁被覆２０２に対して正面視円形状に圧着し、電線圧着部３０ａを、アルミニウム芯線２０１に対して正面視略Ｕ字状に圧着してもよい。
【００７０】
また、雌型圧着端子１０は、図６に示すように、帯状のキャリアＫに取り付けられたままの状態で圧着部３０を溶接してから、被覆電線２００を圧着接続する際、あるいは被覆電線２００を圧着接続した後、キャリアＫから分離してもよいが、キャリアＫから分離された状態で雌型圧着端子１０を形成し、被覆電線２００を圧着接続してもよい。
【符号の説明】
【００７１】
１，１ａ…圧着接続構造体
３ａ…雌型コネクタ
３ｂ…雄型コネクタ
１０…雌型圧着端子
３０…圧着部
３１…圧着底面
３２…バレル片
３４，３５…凹状封止部
３４ａ…凹部
２００…被覆電線
２０１…アルミニウム芯線
２０１ａ…導体先端部
２０２…絶縁被覆
２０２ａ…被覆先端
３００…コネクタハウジング
Ｘ…長手方向
Ｙ…幅方向
【要約】
この発明は、被覆電線に対する圧着状態において、長期に亘って優れた止水性を維持することができる圧着端子、接続構造体及びコネクタを提供することを目的とする。
アルミニウム芯線（２０１）を絶縁被覆（２０２）で被覆し、先端側の絶縁被覆（２０２）を剥がしてアルミニウム芯線（２０１）を露出させた導体先端部（２０１ａ）を備えた被覆電線（２００）における少なくとも前記導体先端部（２０１ａ）の圧着接続を許容する圧着部（３０）を備えた圧着端子（１０）であって、前記圧着部（３０）を、内部に少なくとも前記導体先端部（２０１ａ）の挿入を許容する内部空間を有する断面環状で構成するとともに、断面環状の圧着部（３０）の先端を、圧着底面（３１）とバレル片（３２）の内面同士を密着させてさせるとともに、断面凹状に形成した凹状封止部（３４）を備えた。【図１】
0005465817.tif 000002
【図２】
0005465817.tif 000003
【図３】
0005465817.tif 000004
【図４】
0005465817.tif 000005
【図５】
0005465817.tif 000006
【図６】
0005465817.tif 000007